(57)【要約】【課題】温度制御域の異なる複数の被空調空間を低コストで温度制御できる農産業用空気熱源ヒートポンプ式空調機を提供する。【解決手段】ケーシング１内に圧縮式のヒートポンプＡを備える。温度制御域の異なる複数の被空調空間の低温制御側被空調空間ＬにヒートポンプＡの蒸発器２にて冷却された空気が給気されるように連通させる。複数の被空調空間の高温制御側被空調空間ＨにヒートポンプＡの凝縮器３にて加熱された空気が給気されるように連通させる。【選択図】図１
2005300115.tif 000002
【特許請求の範囲】
【請求項１】
ケーシング１内に圧縮式のヒートポンプＡを備え、温度制御域の異なる複数の被空調空間の低温制御側被空調空間Ｌに前記ヒートポンプＡの蒸発器２にて冷却された空気が給気されるように連通させると共に、前記複数の被空調空間の高温制御側被空調空間Ｈに前記ヒートポンプＡの凝縮器３にて加熱された空気が給気されるように連通させたことを特徴とする農産業用空気熱源ヒートポンプ式空調機。
【請求項２】
ケーシング１内に圧縮式のヒートポンプＡを備え、温度制御域の異なる複数の被空調空間の低温制御側被空調空間Ｌと高温制御側被空調空間Ｈに前記ヒートポンプＡの蒸発器２にて冷却された空気が給気されるように連通させると共に、前記低温制御側被空調空間Ｌと前記高温制御側被空調空間Ｈに前記ヒートポンプＡの凝縮器３にて加熱された空気が給気されるように連通させ、前記冷却空気と前記加熱空気を各々風量調整自在なダンパ機構Ｄを、設けたことを特徴とする農産業用空気熱源ヒートポンプ式空調機。
【請求項３】
加湿器５を、凝縮器３の風下に、又は、凝縮器３の風下と蒸発器２の風下に、配設した請求項１又は２記載の農産業用空気熱源ヒートポンプ式空調機。
【請求項４】
第１と第２の圧縮式のヒートポンプＡ、Ａを備え、蒸発器２又は凝縮器３を１つにして前記第１と第２のヒートポンプＡ、Ａにて共用した請求項１、２又は３記載の農産業用空気熱源ヒートポンプ式空調機。
【請求項５】
蒸発器２と凝縮器３のフィンチューブを楕円管にした請求項１、２、３又は４記載の農産業用空気熱源ヒートポンプ式空調機。
【発明の詳細な説明】
【技術分野】
【０００１】
本発明は農産業用空気熱源ヒートポンプ式空調機に関するものである。
【背景技術】
【０００２】
温室や穀物類の低温倉庫などの農産物対象の空調は人対象よりも制御すべき温度範囲が広く、各々専用の空調機を用いて加熱や冷却を行い温度制御している。ところが、このような温度制御域の異なる複数の被空調空間がある場合、各々の被空調空間ごとに空調機を設置しなければならずコスト高となる問題がある。
【０００３】
【特許文献１】特開２００２−２６７２８３号公報
【発明の開示】
【発明が解決しようとする課題】
【０００４】
解決しようとする問題点は、温度制御域の異なる複数の被空調空間を温度制御する場合に設備コストや運転コストが高くなる点である。
【課題を解決するための手段】
【０００５】
本発明は、上記課題を解決するため、ケーシング内に圧縮式のヒートポンプを備え、温度制御域の異なる複数の被空調空間の低温制御側被空調空間に前記ヒートポンプの蒸発器にて冷却された空気が給気されるように連通させると共に、前記複数の被空調空間の高温制御側被空調空間に前記ヒートポンプの凝縮器にて加熱された空気が給気されるように連通させた。または、ケーシング内に圧縮式のヒートポンプを備え、温度制御域の異なる複数の被空調空間の低温制御側被空調空間と高温制御側被空調空間に前記ヒートポンプの蒸発器にて冷却された空気が給気されるように連通させると共に、前記低温制御側被空調空間と前記高温制御側被空調空間に前記ヒートポンプの凝縮器にて加熱された空気が給気されるように連通させ、前記冷却空気と前記加熱空気を各々風量調整自在なダンパ機構を、設けたことを最も主要な特徴とする。
【発明の効果】
【０００６】
請求項１と２の発明によれば、１台の空調機で温度制御域の異なる複数の被空調空間を温度制御でき、設備コストと運転コストの削減を図り得る。ヒートポンプの蒸発器と凝縮器で熱交換された空気を捨てることなく、いずれも温度制御に活用できて無駄がない。
請求項２の発明によれば、外気温が低温制御側被空調空間の温度制御域よりも低温の場合や高温制御側被空調空間の温度制御域よりも高温の場合でも温度制御ができる。
請求項３の発明によれば、湿度制御もできるので、農産物の成長促進や鮮度保持などに一層有効な空調を行える。
請求項４の発明によれば、第１と第２のヒートポンプの蒸発器又は凝縮器を共用しているので部品点数の削減とコンパクト化を図れる。蒸発器又は凝縮器はフィン群を共用してあるので伝熱面積が大きくなって第１と第２のヒートポンプの一方のみの運転でも熱交換能力が高くなる。共用の蒸発器又は凝縮器において第１と第２のヒートポンプの冷媒の一方が蒸発で他方が凝縮する場合、冷媒同士の熱交換も行えてＣＯＰが高まり省エネとなる。
請求項５の発明によれば、圧力損失が減少して熱交換効率が向上するので小型の送風機を用いることができ騒音低減を図れる。蒸発器と凝縮器も小型化でき空調機をコンパクト化できる。
【実施例】
【０００７】
図１と図２は、本発明の農産業用空気熱源ヒートポンプ式空調機の一実施例を示しており、実線及び点線の白抜き矢印は風向きを示す。この空調機は、ケーシング１内に、圧縮式のヒートポンプＡと、蒸発器２と給気用送風機６を設けた蒸発側送風路８と、凝縮器３と加湿器５と給気用送風機７を設けた凝縮側送風路９と、を備え、温度制御域の異なる複数の被空調空間の低温制御側被空調空間ＬにヒートポンプＡの蒸発器２にて冷却された空気が給気されるように連通させると共に、複数の被空調空間の高温制御側被空調空間ＨにヒートポンプＡの凝縮器３にて加熱された空気が給気されるように連通させる。
【０００８】
低温制御側被空調空間Ｌは茸類や穀物などの保存倉庫などで、高温制御側被空調空間Ｈは野菜や果物栽培などの温室などであり、両者Ｌ、Ｈは同一建屋内の異なる階に設ける場合や、互いに隔絶された同一フロアに設ける場合など種々自由である。たとえば、異なる階の場合は１階を窓無しの倉庫（低温制御側被空調空間Ｌ）として太陽の輻射熱を遮り、２階を天窓付きの温室（高温制御側被空調空間Ｈ）として太陽の輻射熱利用による省エネを図ることもできる。温度制御域の一例としては、低温制御側被空調空間Ｌは５℃〜１５℃、高温制御側被空調空間Ｈは２０℃〜３５℃である。図例では、加湿器５は凝縮側送風路９の凝縮器３の風下に配設しているが、蒸発側送風路８の蒸発器２の風下のみに配設したり、凝縮側送風路９の凝縮器３の風下と蒸発側送風路８の蒸発器２の風下の両方に配設してもよい。
【０００９】
蒸発側送風路８は低温制御側被空調空間Ｌと空気循環するようにダクト等の給気送風路１０と還気送風路１１を介して連通し、凝縮側送風路９は高温制御側被空調空間Ｈと空気循環するようにダクト等の給気送風路１０と還気送風路１１を介して連通する。ケーシング１には外気取入口を設け、蒸発器２と凝縮器３に外気通風されるように蒸発側送風路８と凝縮側送風路９に連通する。蒸発側送風路８と凝縮側送風路９の還気と外気（給気）はダンパにより風量調整自在にする。低温制御側被空調空間Ｌと高温制御側被空調空間Ｈから排気が必要な場合は図示省略の排風機などで行う。図例では、還気と外気を混合給気しているが、還気循環のみ、あるいは外気の給気のみに構成を変更するも自由である。
【００１０】
ヒートポンプＡは、空調用空気に放熱して循環冷媒を凝縮させる凝縮器３と、空調用空気から吸熱して循環冷媒を蒸発させる蒸発器２と、圧縮機４と、膨張弁と、図示省略の受液器等と、を備え、これらを配管接続して冷媒循環回路を構成する。蒸発器２と凝縮器３のフィンチューブは圧損の少ない楕円管にするのが好ましいが円形管でもよい。
【００１１】
図３は他の実施例で、ケーシング１内に圧縮式のヒートポンプＡを備え、温度制御域の異なる複数の被空調空間の低温制御側被空調空間Ｌと高温制御側被空調空間ＨにヒートポンプＡの蒸発器２にて冷却された空気が給気されるように連通させると共に、低温制御側被空調空間Ｌと高温制御側被空調空間ＨにヒートポンプＡの凝縮器３にて加熱された空気が給気されるように連通させ、前記冷却空気と前記加熱空気を各々風量調整自在なダンパ機構Ｄを、設けたものである。
【００１２】
蒸発側送風路８は低温制御側被空調空間Ｌと高温制御側被空調空間Ｈとに各々空気循環するようにダクト等の給気送風路１０と還気送風路１１を介して連通すると共に、凝縮側送風路９も高温制御側被空調空間Ｈと低温制御側被空調空間Ｌとに各々空気循環するようにダクト等の給気送風路１０と還気送風路１１を介して連通する。ケーシング１には外気取入口を設け、蒸発器２と凝縮器３に外気通風されるように蒸発側送風路８と凝縮側送風路９に連通する。さらに、ケーシング１には排気口を設け蒸発側送風路８と凝縮側送風路９に連通する。蒸発側送風路８と凝縮側送風路９の出口側の給気及び排気と入口側の外気及び還気はダンパにより風量調整自在にする。ダンパ機構Ｄは、ケーシング１の給気用、排気用、外気用、還気用の各ダンパと給気送風路１０と還気送風路１１の各ダンパにて構成すればよいが、これらのダンパは図例と異なる部位に配置したり数を増減するも自由である。また、給気送風路１０と還気送風路１１は図例以外の構成（例えばつなぎ方など）とするも自由である。低温制御側被空調空間Ｌと高温制御側被空調空間Ｈから排気が必要な場合は図示省略の排風機などで行う。
【００１３】
この場合、ダンパ機構Ｄにより低温制御側被空調空間Ｌに冷却空気を給気しかつ高温制御側被空調空間Ｈに加熱空気を給気して温度制御するだけでなく、外気温が低温制御側被空調空間Ｌの温度制御域よりも低温で、低温制御側被空調空間Ｌと高温制御側被空調空間Ｈの両方に加熱空気を給気して温度制御したり、外気温が高温制御側被空調空間Ｈの温度制御域よりも高温で、低温制御側被空調空間Ｌと高温制御側被空調空間Ｈの両方に冷却空気を給気して温度制御したり、するのに対応できる。たとえば低温制御側被空調空間Ｌと高温制御側被空調空間Ｈの両方に加熱空気を給気する場合にはダンパ機構Ｄにより低温制御側被空調空間Ｌと凝縮側送風路９の間および高温制御側被空調空間Ｈと凝縮側送風路９の間で各々空気循環させ、蒸発側送風路８では外気のみを取入れて被空調空間に給気せずに屋外に排気する。低温制御側被空調空間Ｌと高温制御側被空調空間Ｈの両方に冷却空気を給気する場合にはダンパ機構Ｄにより低温制御側被空調空間Ｌと蒸発側送風路８の間および高温制御側被空調空間Ｈと蒸発側送風路８の間で各々空気循環させ、凝縮側送風路９では外気のみを取入れて被空調空間に給気せずに屋外に排気する。あるいは、還気と外気を混合給気したり、外気のみを給気することもできる。なお、前記各実施例において、図４のように、第１と第２の圧縮式のヒートポンプＡ、Ａを備え、凝縮器３を１つにして第１と第２のヒートポンプＡ、Ａにて共用してもよい。あるいは、逆に蒸発器２を１つにして第１と第２のヒートポンプＡ、Ａにて共用してもよい。（図示省略）
【図面の簡単な説明】
【００１４】
【図１】農産業用空気熱源ヒートポンプ式空調機の実施例を示す簡略説明図。
【図２】ヒートポンプの簡略説明図。
【図３】他の実施例を示す簡略説明図。
【図４】他のヒートポンプの簡略説明図。
【符号の説明】
【００１５】
１      ケーシング
２      蒸発器
３      凝縮器
Ａ      ヒートポンプ
Ｄ      ダンパ機構
Ｌ      低温制御側被空調空間
Ｈ      高温制御側被空調空間
【図１】
2005300115.tif 000003
【図２】
2005300115.tif 000004
【図３】
2005300115.tif 000005
【図４】
2005300115.tif 000006